(57)【要約】【課題】累進眼鏡レンズの近用部のインセット量を適切に決定すること。【解決手段】眼鏡レンズ設計方法は、遠景に対応する屈折力を有する遠用部と、近景に対応する屈折力を有する近用部と、遠用部と近用部との間に設けられ遠用部から近用部までの屈折力を連続的に接続する中間部と、を有する眼鏡レンズを設計する眼鏡レンズ設計方法であって、近方の注視点に対する装用者の顔の向きを測定する測定工程と、測定工程により測定された顔の向きによる左眼と右眼の輻輳角の違いに基づいて、近用部のインセット量を左右それぞれで決定する決定工程と、を有する。【選択図】図５
2015184624.tif 000002
【特許請求の範囲】
【請求項１】
遠景に対応する屈折力を有する遠用部と、近景に対応する屈折力を有する近用部と、前記遠用部と前記近用部との間に設けられ前記遠用部から前記近用部までの屈折力を連続的に接続する中間部と、を有する眼鏡レンズを設計する眼鏡レンズ設計方法であって、
近方の注視点に対する装用者の顔の向きを測定する測定工程と、
前記測定工程により測定された前記顔の向きによる左眼と右眼の輻輳角の違いに基づいて、前記近用部のインセット量を左右それぞれで決定する決定工程と、
を有することを特徴とする眼鏡レンズ設計方法。
【請求項２】
請求項１に記載の眼鏡レンズ設計方法において、
前記測定工程では、前記顔の向きとして、前記装用者の顔が前記注視点に対して正対する場合の顔の向きを基準とした向き角度を測定し、
前記決定工程では、前記測定工程により測定された前記向き角度による左眼および右眼の輻輳角の違いに基づいて、前記近用部のインセット量を左右それぞれで決定することを特徴とする眼鏡レンズ設計方法。
【請求項３】
請求項２に記載の眼鏡レンズ設計方法において、
前記決定工程では、前記装用者の顔が前記注視点に対して正対している場合における前記近用部のインセット量を仮インセット量として求め、前記仮インセット量と前記向き角度とに基づいて、前記近用部のインセット量を左右それぞれで決定することを特徴とする眼鏡レンズ設計方法。
【請求項４】
遠景に対応する屈折力を有する遠用部と、近景に対応する屈折力を有する近用部と、前記遠用部と前記近用部との間に設けられ前記遠用部から前記近用部までの屈折力を連続的に接続する中間部と、を有する眼鏡レンズを設計する眼鏡レンズ設計方法であって、
近方の注視点に対する装用者の顔の向きを測定した測定結果を取得し、前記測定結果の前記顔の向きによる左眼と右眼の輻輳角の違いに基づいて、前記近用部のインセット量を左右それぞれで決定する決定工程を有することを特徴とする眼鏡レンズ設計方法。
【請求項５】
請求項１〜４のいずれか一項に記載の眼鏡レンズ設計方法によって設計されたことを特徴とする眼鏡レンズ。
【請求項６】
請求項１〜４のいずれか一項に記載の眼鏡レンズ設計方法によって設計された眼鏡レンズを製造することを特徴とする眼鏡レンズ製造方法。
【請求項７】
遠景に対応する屈折力を有する遠用部と、近景に対応する屈折力を有する近用部と、前記遠用部と前記近用部との間に設けられ前記遠用部から前記近用部までの屈折力を連続的に接続する中間部と、を有する眼鏡レンズを設計する眼鏡レンズ設計システムであって、
近方の注視点に対する装用者の顔の向きを測定した測定結果を入力する入力装置と、
前記測定結果の前記顔の向きによる左眼と右眼の輻輳角の違いに基づいて、前記近用部のインセット量を左右それぞれで決定する設計装置と、
を有することを特徴とする眼鏡レンズ設計システム。
【請求項８】
遠景に対応する屈折力を有する遠用部と、近景に対応する屈折力を有する近用部と、遠用部と近用部との間に設けられ遠用部から近用部までの屈折力を連続的に接続する中間部と、を有する眼鏡レンズを設計する眼鏡レンズ設計装置であって、
近方の注視点に対する装用者の顔の向きを測定した測定結果を取得し、前記測定結果の前記顔の向きによる左眼と右眼の輻輳角の違いに基づいて、前記近用部のインセット量を左右それぞれで決定することを特徴とする眼鏡レンズ設計装置。
【発明の詳細な説明】
【技術分野】
【０００１】
本発明は、眼鏡レンズ設計方法、眼鏡レンズ、眼鏡レンズ製造方法、眼鏡レンズ設計システムおよび眼鏡レンズ設計装置に関する。
【背景技術】
【０００２】
遠景に対応する屈折力を有する遠用部と、近景に対応する屈折力を有する近用部と、遠用部と近用部の屈折力を連続的に滑らかに変化させて接続する中間部と、を備える累進眼鏡レンズが知られている。このような累進眼鏡レンズにおいては、個々の装用者の個別装用状況データとレンズ屈折作用による視線の偏向とに基づいて、近用部のインセット量を決定する方法が知られている（特許文献１参照）。
【先行技術文献】
【特許文献】
【０００３】
【特許文献１】特開２０１０−２３７４０２号公報
【発明の概要】
【発明が解決しようとする課題】
【０００４】
上述した従来技術では、個別の装用前傾角の違いについては考慮されているが、装用者の顔が注視対象の物体に対して真正面を向いている状態を前提として、左右で対称的に近用部のインセット量が決定されている。しかしながら、人が手元の物体を見るときには、その物体の持ち方や姿勢の癖などにより、注視対象の物体に対して顔の真正面を向けず、斜め方向を向ける傾向がある人もいる。従来技術では、このような装用者に対して適切に近用部のインセット量を決定することができなかった。
【課題を解決するための手段】
【０００５】
（１）請求項１に記載の眼鏡レンズ設計方法は、遠景に対応する屈折力を有する遠用部と、近景に対応する屈折力を有する近用部と、遠用部と近用部との間に設けられ遠用部から近用部までの屈折力を連続的に接続する中間部と、を有する眼鏡レンズを設計する眼鏡レンズ設計方法であって、近方の注視点に対する装用者の顔の向きを測定する測定工程と、測定工程により測定された顔の向きによる左眼と右眼の輻輳角の違いに基づいて、近用部のインセット量を左右それぞれで決定する決定工程と、を有することを特徴とする。
（２）請求項４に記載の眼鏡レンズ設計方法は、遠景に対応する屈折力を有する遠用部と、近景に対応する屈折力を有する近用部と、遠用部と近用部との間に設けられ遠用部から近用部までの屈折力を連続的に接続する中間部と、を有する眼鏡レンズを設計する眼鏡レンズ設計方法であって、近方の注視点に対する装用者の顔の向きを測定した測定結果を取得し、測定結果の顔の向きによる左眼と右眼の輻輳角の違いに基づいて、近用部のインセット量を左右それぞれで決定する決定工程を有することを特徴とする。
（３）請求項５に記載の眼鏡レンズは、請求項１〜４のいずれか一項に記載の眼鏡レンズ設計方法によって設計されたことを特徴とする。
（４）請求項６に記載の眼鏡レンズ製造方法は、請求項１〜４のいずれか一項に記載の眼鏡レンズ設計方法によって設計された眼鏡レンズを製造することを特徴とする。
（５）請求項７に記載の眼鏡レンズ設計システムは、遠景に対応する屈折力を有する遠用部と、近景に対応する屈折力を有する近用部と、遠用部と近用部との間に設けられ遠用部から近用部までの屈折力を連続的に接続する中間部と、を有する眼鏡レンズを設計する眼鏡レンズ設計システムであって、近方の注視点に対する装用者の顔の向きを測定した測定結果を入力する入力装置と、測定結果の顔の向きによる左眼と右眼の輻輳角の違いに基づいて、近用部のインセット量を左右それぞれで決定する設計装置と、を有することを特徴とする。
（６）請求項８に記載の眼鏡レンズ設計装置は、遠景に対応する屈折力を有する遠用部と、近景に対応する屈折力を有する近用部と、遠用部と近用部との間に設けられ遠用部から近用部までの屈折力を連続的に接続する中間部と、を有する眼鏡レンズを設計する眼鏡レンズ設計装置であって、近方の注視点に対する装用者の顔の向きを測定した測定結果を取得し、測定結果の顔の向きによる左眼と右眼の輻輳角の違いに基づいて、近用部のインセット量を左右それぞれで決定することを特徴とする。
【発明の効果】
【０００６】
本発明によれば、累進眼鏡レンズの近用部のインセット量を適切に決定することができる。
【図面の簡単な説明】
【０００７】
【図１】本発明の一実施の形態に係る累進眼鏡レンズの概要を示す図である。
【図２】顔の向きとインセット量との関係を説明する図である。
【図３】顔の向き角度の定義を説明する図である。
【図４】左眼輻輳角および右眼輻輳角を求める方法を説明する図である。
【図５】インセット量を決定する方法を説明する図である。
【図６】累進眼鏡レンズの供給システムの構成を示す図である。
【図７】眼鏡レンズを提供する手順を説明するフローチャートである。
【発明を実施するための形態】
【０００８】
以下、図面を参照して本発明の一実施の形態について説明する。以下の説明において、累進眼鏡レンズの「上方」、「下方」、「上部」、「下部」等と表記する場合は、当該累進眼鏡レンズが眼鏡用に加工される場合において眼鏡を装用したときのレンズの位置関係に基づくものとする。
【０００９】
（累進眼鏡レンズの概要）
図１は、本実施の形態に係る累進眼鏡レンズＬＳの概要を示す平面図である。図１において、累進眼鏡レンズＬＳは、眼鏡用フレームの形状に合わせてレンズを加工する前の状態（玉摺り加工前の状態）になっており、平面視で円形に形成されている。累進眼鏡レンズＬＳは、図中上側が装用時において上方に配置されることとなり、図中下側が装用時において下方に配置されることとなる。累進眼鏡レンズＬＳは、遠用部Ｆと、近用部Ｎと、中間部Ｐとを有している。
【００１０】
遠用部Ｆは、累進眼鏡レンズＬＳの上部に配置されており、当該累進眼鏡レンズＬＳが眼鏡用に加工された後には遠景に対応する屈折力を有する部分となる。近用部Ｎは、累進眼鏡レンズＬＳの下部に配置されており、当該累進眼鏡レンズＬＳが眼鏡用に加工された後には近景に対応する屈折力を有する部分となる。中間部Ｐは、累進眼鏡レンズＬＳのうち遠用部Ｆと近用部Ｎの中間に配置されており、遠用部Ｆと近用部Ｎとの間の屈折力を連続的に滑らかに変化させて接続する部分である。
【００１１】
累進眼鏡レンズＬＳは、複数の基準点を有している。このような基準点として、例えば、図１に示すように、アイポイント（フィッティングポイントとも呼ばれる）ＥＰ、遠用基準点ＦＶ、近用基準点ＮＶなどが挙げられる。アイポイントＥＰは、装用者がレンズを装用する時の基準点となる。遠用基準点ＦＶは、レンズの遠用度数を測定する測定基準点となる。近用基準点ＮＶは、近用部Ｎにおいてレンズの近用度数を測定する測定基準点となる。
【００１２】
また累進眼鏡レンズＬＳのほぼ中央には、装用者が正面上方から正面下方にある物体を見た場合に視線が通過するレンズ上の仮想線である主注視線Ｍが設けられている。主注視線Ｍは、主子午線とも呼ばれ、遠用部Ｆを通過する遠用線部Ｍｆと、中間部Ｐを通過する中間線部Ｍｐと、近用部Ｎを通過する近用線部Ｍｎとからなる。遠用線部Ｍｆは、遠用基準点ＦＶとアイポイントＥＰとを通り、装用時における鉛直方向に沿って形成される。近用線部Ｍｎは近用基準点ＮＶを通り、装用時における鉛直方向に沿って形成され、近方視時の輻輳を考慮して、遠用線部Ｍｆからインセット量Ｈだけ鼻側（図１中左側）に内寄せ（インセット）されている。中間線部Ｍｐは遠用線部Ｍｆの下端と近用線部Ｍｎの上端とを接続するため、これらの線分に対して斜めに形成されている。
【００１３】
（近用部のインセット量の決定）
次に、累進眼鏡レンズの近用部のインセット量を決定する方法について説明する。なお、以下では、説明を簡単にするため、累進眼鏡レンズにおいて左右の度数が同じであることを前提として説明するが、本実施の形態は、左右で度数が異なる場合にも適用可能である。まず、図２を用いてインセット量を決定する方法の概要について説明する。
【００１４】
図２は、装用者の頭部Ａｔ、左眼の眼球ＥＬ、右眼の眼球ＥＲ、左眼用の累進眼鏡レンズＬＳＬ、および右眼用の累進眼鏡レンズＬＳＲを模式的に示す俯瞰図である。装用者は近方の注視点Ｐｇを見ているとする。ここで、左眼の輻輳による左眼の視線の寄り角度αＬを左眼輻輳角αＬと定義する。左眼輻輳角αＬは、遠方を見た場合の左眼の視線と近方を見た場合の左眼の視線とがなす角度である。また、右眼の輻輳による右眼の視線の寄り角度αＲを右眼輻輳角αＲと定義する。右眼輻輳角αＲは、遠方を見た場合の右眼の視線と近方を見た場合の右眼の視線とがなす角度である。
【００１５】
図２（ａ）は、装用者の顔（頭部Ａｔ）が注視点Ｐｇに対して真正面を向いている（正対している）状態を示す。この状態は、顔（頭部Ａｔ）の中心線（ここでは、左眼の眼球ＥＬの中心と右眼の眼球ＥＲの中心とを結ぶ線分Ｌ１の垂直二等分線Ｌ２）上に、注視点Ｐｇが位置する状態である。この状態では、左眼輻輳角αＬと右眼輻輳角αＲとは同じ角度となっている。そのため、左眼用の累進眼鏡レンズＬＳＬのインセット量ＨＬと右眼用の累進眼鏡レンズＬＳＲのインセット量ＨＲとが同じ量に決定される。従来は、このように、装用者の顔（頭部Ａｔ）が注視点Ｐｇに対して真正面を向いている状態を前提として、左右で対称的にインセット量が決定されていた。
【００１６】
しかしながら、日常生活において、人は常に正面で物を見ているわけではない。特に読書のときや携帯端末を操作するときなど、手元の物体を見るときにはその物体の持ち方や姿勢の癖などから人による違いが出やすく、注視対象の物体に対して真正面を向けず、斜め方向を向ける傾向がある人もいる。たとえば、図２（ｂ）は、装用者が注視点Ｐｇに対して顔の左側を向けている状態を示す。この状態は、注視点Ｐｇが、顔（頭部Ａｔ）の中心線Ｌ２上ではなく、中心線Ｌ２よりも左側にずれた位置にある。この状態では、右眼輻輳角αＲが左眼輻輳角αＬよりも大きくなっている。そのため、右眼のインセット量ＨＲを左眼のインセット量ＨＬよりも大きくすることが適切であるが、従来の方法では、左右で対称的にインセット量が決定されていたため、装用者に合わないインセット量で累進眼鏡レンズが設計されてしまっていた。
【００１７】
このように、近方の注視点に対して顔を斜めに向ける傾向がある装用者に対しては、従来の方法では、適切にインセット量を決定することができなかった。そこで、本実施の形態では、装用者の注視点Ｐｇに対する顔の向きを考慮して、適切にインセット量を決定するようになっている。
【００１８】
以下、本実施の形態において、累進眼鏡レンズにおける近用部のインセット量を決定する方法について具体的に説明する。以下の説明では、図３に示すように、左眼の眼球ＥＬの中心と右眼の眼球ＥＲの中心とを結ぶ線分Ｌ１の垂直二等分線Ｌ２を定義し、線分Ｌ１の中点Ｏと近方の注視点Ｐｇとを通る直線Ｌ３を定義し、垂直二等分線Ｌ２と直線Ｌ３とがなす角度を、装用者の顔の向き角度φとして定義する。装用者の顔の向き角度φは、装用者の顔が注視点Ｐｇに対して真正面を向いている場合に０度となる。すなわち、装用者の顔の向き角度φは、装用者の顔が注視点Ｐｇに対して真正面を向いている（正対している）場合の顔の向きを基準とした角度となっている。
【００１９】
図４は、装用者の顔が注視点Ｐｇに対して正面を向いていない（すなわち斜め方向を向いている）場合の左眼輻輳角αＬおよび右眼輻輳角αＲを求める方法を説明する図である。図４は、装用者が注視点Ｐｇに対して顔の左側を向けている状態を示す。ここで、装用者の顔が注視点Ｐｇに対して正面を向いている場合の左眼輻輳角および右眼輻輳角を仮輻輳角θとすると、装用者が注視点Ｐｇに対して顔の左側を向けている場合の左眼輻輳角αＬおよび右眼輻輳角αＲは、図４で示されるように、次式（１）および（２）により算出される。
αＬ＝θ−φ  ・・・（１）
αＲ＝θ＋φ  ・・・（２）
【００２０】
逆に、装用者が注視点Ｐｇに対して顔の右側を向けている場合の左眼輻輳角αＬおよび右眼輻輳角αＲは、次式（３）および（４）により算出される。
αＬ＝θ＋φ  ・・・（３）
αＲ＝θ−φ  ・・・（４）
【００２１】
このように、仮輻輳角θと装用者の顔の向き角度φとを用いて、左眼輻輳角αＬおよび右眼輻輳角αＲを算出することができる。
【００２２】
図５は、上述したような顔の向きφによる左眼輻輳角αＬおよび右眼輻輳角αＲの違いに基づいて、左右の近用部のインセット量をそれぞれ算出する方法を説明する図である。まず、注視点が装用者の顔の真正面にあることを前提とした近用部のインセット量を、仮インセット量Ｈｋとして求める。仮インセット量Ｈｋを求める方法としては、たとえば、特開２０１０−２３７４０２号公報に記載されているように、装用者の遠用度数、加入度数、近用物体距離、眼球回旋距離、および遠用瞳孔間距離を用いて、近似式により仮インセット量Ｈｋを算出する方法を用いてもよい。なお、近用物体距離とは、近方視状態での眼球から注視点までの距離である。眼球回旋距離とは、眼球の回旋中心から累進眼鏡レンズ面までの距離である。遠用瞳孔間距離とは、遠方視状態での瞳孔間距離である。また、仮インセット量Ｈｋを求める方法はこの方法に限らなくてもよく、この他の方法を用いてもよい。このように仮インセット量Ｈｋは、公知の方法で求めればよいので、詳細な説明は省略する。
【００２３】
次に、仮インセット量Ｈｋと、眼球の回旋中心から累進眼鏡レンズ面までの距離（眼球回旋距離）Ｄｅを用いて、式（５）により装用者の顔が注視点に対して正面を向いている場合の左眼輻輳角および右眼輻輳角（仮輻輳角）θを算出する。
θ＝ａｒｃｔａｎ（Ｈｋ／Ｄｅ）  ・・・（５）
【００２４】
なお、眼球回旋距離Ｄｅは、眼球の回旋中心から角膜頂点までの距離と、角膜頂点から累進眼鏡レンズ面までの距離（角膜頂点距離）とを加算して求めることができる。これらの距離は予め設定された値を用いてもよいし、装用者ごとに測定するようにしてもよい。
【００２５】
次に、上述したように、仮輻輳角θと装用者の顔の向き角度φとを用いて、式（１）および（２）または式（３）および（４）により、左眼輻輳角αＬおよび右眼輻輳角αＲを算出する。
【００２６】
そして、左眼輻輳角αＬおよび右眼輻輳角αＲと眼球回旋距離Ｄｅとを用いて、式（６）および（７）により、左眼のインセット量ＨＬおよび右眼のインセット量ＨＲをそれぞれ算出する。
ＨＬ＝Ｄｅ・ｔａｎ（αＬ）  ・・・（６）
ＨＲ＝Ｄｅ・ｔａｎ（αＲ）  ・・・（７）
【００２７】
以上のようにして、顔の向き角度φによる左眼輻輳角αＬおよび右眼輻輳角αＲの違いに基づいて、左眼のインセット量ＨＬおよび右眼のインセット量ＨＲをそれぞれ決定する。これにより、近方の注視点に対して顔を斜めに向ける傾向がある装用者に対しても、累進眼鏡レンズの近用部のインセット量を左右それぞれで適切に決定することができる。
【００２８】
（累進眼鏡レンズの供給システム）
次に、累進眼鏡レンズの供給システムについて説明する。図６は、本実施形態による累進眼鏡レンズの供給システムの構成を示す図である。累進眼鏡レンズの供給システムは、データ端末１０１と、データ記憶部１０７と、設計部１０５と、加工機制御部１１１とを備える。データ端末１０１、設計部１０５および加工機制御部１１１は、種々の形態のコンピュータであってもよい。データ端末１０１は、たとえば、眼鏡店１０に設置される。設計部１０５、データ記憶部１０７および加工機制御部１１１は、たとえば、レンズメーカの工場２０に設置される。データ端末１０１と設計部１０５とは、たとえば、インターネットなどの回線１０３によって接続されている。また、設計部１０５と加工機制御部１１１とは、たとえば、イントラネットなどの回線１０９によって接続されている。レンズの加工機１１３は、加工機制御部１１１に接続されている。
【００２９】
（累進眼鏡レンズを提供する手順）
次に、本実施形態において、顧客に眼鏡を提供する一連の手順について、図７に示すフローチャートを用いて説明する。なお、図７の左側に眼鏡店において行う手順を示し、図７の右側にレンズメーカにおいて行う手順を示す。ステップＳ１０において、顧客は、眼鏡店において、購入する眼鏡フレームを決定する。
【００３０】
ステップＳ１１において、ステップＳ１０で決定した眼鏡フレームに装着する眼鏡レンズの処方値（例えば、球面度数、乱視度数、乱視軸度、加入度など）を決定する。眼鏡レンズの処方値は、顧客に対して、眼科医により発行された処方箋や、眼鏡店で行われた視力チェックなどに基づいて決定される。
【００３１】
ステップＳ１２において、装用者が眼鏡を装用した状態における各種パラメータ（フィッティングパラメータ）を測定する。フィッティングパラメータとしては、たとえば、遠用瞳孔間距離、近用物体距離、角膜頂点距離、前傾角（鉛直面に対する累進眼鏡レンズ面の角度）などが測定される。
【００３２】
ステップＳ１３において、近方の注視点に対する装用者の顔の向き角度φを測定する。顔の向き角度φの測定方法の一例は、以下の通りである。まず、装用者の顔の正面方向が上面に描かれた測定用帽子を装用者の頭部にかぶせる。そして、装用者に本や携帯端末などを手に持って自然な状態で見てもらうことにより、装用者を近方視状態とする。この状態で、測定用帽子を観察することで装用者の顔の正面方向を検知すると共に、装用者の注視点の位置を公知の視線検出装置等で測定する。これにより、近方の注視点に対する装用者の顔の向き角度φを求めることができる。
【００３３】
なお、顔の向き角度φを測定する方法は上述した方法に限らず、種々の方法の中から適切な方法を用いればよい。たとえば、長さが既知である測定用治具を眼鏡フレームに装着した状態で、注視点近傍に設置したカメラで装用者の顔を撮影する方法を用いてもよい。この場合、装用者の顔が注視点に対して正面方向を向いているときと斜め方向を向いているときとで撮影画像上に写る測定用治具の長さが異なるので、撮影画像上に写る測定用治具の長さに基づいて顔の向き角度を求めることができる。
【００３４】
また、たとえば本の左端から右端を読むときなど視線と共に頭部を動かす場合があり、装用者の顔の向き角度φは時間的に変化する可能性がある。したがって、顔の向き角度φを所定時間継続して測定し、測定値の平均値を眼鏡レンズの設計に用いる顔の向き角度φとしてもよい。
【００３５】
ステップＳ１４において、眼鏡店の店員は、ステップＳ１０で決定した眼鏡フレームの情報、ステップＳ１１で決定した眼鏡レンズの処方値、およびステップＳ１２で測定したフィッティングパラメータ、ステップＳ１３で測定した顔の向き角度などを含む眼鏡レンズの発注情報を、眼鏡店に設置されたデータ端末１０１に入力する。データ端末１０１は、入力された発注情報を、回線１０３を介して、レンズメーカに設置された設計部１０５に送信する。
【００３６】
ステップＳ２０において、レンズメーカでは、設計部１０５が、眼鏡店の発注用コンピュータからの眼鏡レンズの発注情報を受信する。ステップＳ２１において、設計部１０５は、受信した累進眼鏡レンズの発注情報に基づいて眼鏡レンズの設計を行う。すなわち、眼鏡フレームの情報や眼鏡レンズの処方値、フィッティングパラメータ、顔の向き角度などの情報に基づいて、眼鏡レンズの設計を行う。
【００３７】
この眼鏡レンズの設計の際、設計部１０５は、上述したように、顔の向き角度φを用いて左眼輻輳角αＬおよび右眼輻輳角αＲを算出し、左眼のインセット量ＨＬおよび右眼のインセット量ＨＲをそれぞれ決定する。
【００３８】
ステップＳ２２において、設計部１０５は、ステップＳ２１で設計した眼鏡レンズの設計データを、回線１０９を介して、加工機制御部１１１に出力する。加工機制御部１１１は、この設計データに基づいて、レンズの加工機１１３に加工指示を送る。この結果、レンズの加工機１１３によって、当該設計データに基づく眼鏡レンズが加工され、製造される。そして、レンズの加工機１１３によって製造された眼鏡レンズが眼鏡店に出荷される。ステップＳ１５において、眼鏡店では、ステップＳ２２で製造された眼鏡レンズを、ステップＳ１０で決定された眼鏡フレームに枠入れして眼鏡を完成し、顧客に提供する。
【００３９】
上述した実施の形態によれば、次の作用効果が得られる。
（１）眼鏡レンズ設計方法は、近方の注視点に対する装用者の顔の向きを測定する測定工程と、測定工程により測定された顔の向きによる左眼と右眼の輻輳角の違いに基づいて、近用部のインセット量を左右それぞれで決定する決定工程とを有する。具体的には、測定工程では、顔の向きとして、装用者の顔が前記近方の注視点に対して正対する場合の顔の向きを基準とした顔の向き角度φを測定し、決定工程では、顔の向き角度φによる左眼および右眼の輻輳角の違いに基づいて、近用部のインセット量を左右それぞれで決定するようにした。これにより、近方の注視点に対して顔を斜めに向ける傾向がある装用者に対しても、累進眼鏡レンズの近用部のインセット量を左右それぞれで適切に決定することができる。
【００４０】
（２）上記眼鏡レンズ設計方法において、決定工程では、装用者の顔が近方の注視点に対して正対している場合における近用部のインセット量を仮インセット量Ｈｋとして求め、仮インセット量Ｈｋと顔の向き角度φとに基づいて、近用部のインセット量を左右それぞれで決定するようにした。これにより、公知の方法を用いて仮インセット量Ｈｋを求めた後、顔の向き角度を用いて仮インセット量Ｈｋを補正するだけで、適切なインセット量を簡単に決定することができる。
【００４１】
次のような変形も本発明の範囲内であり、変形例の一つ、もしくは複数を上述の実施形態と組み合わせることも可能である。
（変形例１）
上述した実施の形態では、装用者の顔が近方の注視点に対して正対している場合における近用部のインセット量を仮インセット量Ｈｋとして求め、近用部のインセット量を決定する例について説明したが、仮インセット量Ｈｋを経由せずに近用部のインセット量を直接求めてもよい。たとえば、眼鏡レンズの処方値、フィッティングパラメータおよび顔の向き角度φを用いて、光線追跡シミュレーションを行って、近用部のインセット量を左右それぞれで決定するようにしてもよい。
【００４２】
（変形例２）
上述した実施の形態では、仮インセット量Ｈｋと顔の向き角度φとを用いて左眼輻輳角αＬおよび右眼輻輳角αＲを算出し、左右のインセット量をそれぞれ算出する例について説明したが、これに限らなくてもよい。たとえば、近方の注視点に対して顔を正面に向ける傾向がある場合、近方の注視点に対して顔を左側に向ける傾向がある場合、および近方の注視点に対して顔を右側に向ける傾向がある場合の３パターンのインセット量を予め用意しておき、顔の向きの測定結果を用いて、これら３パターンのインセット量の中から装用者に最適なインセット量を選択するようにしてもよい。
【００４３】
上記では、種々の実施の形態および変形例を説明したが、本発明はこれらの内容に限定されるものではない。本発明の技術的思想の範囲内で考えられるその他の態様も本発明の範囲内に含まれる。また、本発明は、遠近タイプの累進眼鏡レンズに適用することもできるし、中近タイプの累進眼鏡レンズに適用することもできる。
【符号の説明】
【００４４】
ＬＳ…累進眼鏡レンズ、Ｆ…遠用部、Ｎ…近用部、Ｐ…中間部、１０１…データ端末、１０５…設計部、１１１…加工機制御部、１１３…レンズの加工機
【図１】
2015184624.tif 000003
【図２】
2015184624.tif 000004
【図３】
2015184624.tif 000005
【図４】
2015184624.tif 000006
【図５】
2015184624.tif 000007
【図６】
2015184624.tif 000008
【図７】
2015184624.tif 000009